(57)【特許請求の範囲】
【請求項１】
水平面内において旋回可能に設けられ、外周部に周方向に間隔をおいてセグメントが載置される回転板と、
前記回転板を回動させる駆動手段とを備え、
前記回転板は、回転板上に載置されたセグメントがセグメント搬送装置の走行するレールの下方に位置するように配置されている、
ことを特徴とするセグメントストック装置。
【請求項２】
前記回転板は、平面視した場合、ほぼその半分がレールの外側に位置するように配置されている請求項１記載の荷物ストック装置。
【請求項３】
前記回転板の外周部には、セグメントの円弧方向に対応した長さを有するセグメント載置用のセグメント置台が、その長手方向を回転板の径方向に対して４５度傾斜して固着されている請求項１記載のセグメントストック装置。
【請求項４】
前記回転板の外周部には、セグメントの円弧方向に対応した長さを有するセグメント載置用のセグメント置台が、その長手方向を回転板の径方向に沿って固着されている請求項１記載のセグメントストック装置。
【発明の詳細な説明】
【０００１】
【産業上の利用分野】
本発明はセグメントをストックする装置に関するものであり、より詳細には、場所を取らずにセグメント搬送装置にセグメントを効率良く把持させることができるセグメントストック装置に関するものである。
【０００２】
【従来の技術】
シールド工事において、トラック等により運搬されたセグメントは、地上から立坑を通って坑内に運搬され、坑内では台車等に積載された後、この台車を切羽側まで走行させることでセグメントの運搬が行われている。
セグメントを地上から坑内へ運搬する場合、地上から立坑を通って坑内に至るレールを配設し、セグメントの把持を可能とした搬送装置を前記レールに沿って走行させれば、セグメントの運搬効率を高める上で有利となる。
【０００３】
ところで、前記搬送装置に把持させるセグメントを地上においてストックする場合、図５に平面図で示すように、立坑１２の近傍の地上に配置されるレール４の下方の地盤に、レール４の長手方向に間隔をおいて複数のストック架台４０を設置し、各ストック架台４０にセグメントを載置しておくことが考えられる。
このようにセグメントのストック装置を構成すれば、レール４を走行する搬送装置の停止位置を各ストック架台４０に合わせることで、セグメントを順次把持させていくことが可能となる。
【０００４】
【発明が解決しようとする課題】
しかしながら、このような構成では、ストック装置がレール４に沿って長くなり、発進基地内の立坑脇に広い土地が必要となってしまう。例えば、図５に示すように、レール４の下方にストック架台４０を７つ配設するには、最低１８ｍの長さの土地が必要になる。
そして、シールド工事では、このようなストック装置の他にも、トラック等で現場に搬入されたセグメントを一時載置しておくストックヤードが必要であり、このようなことからして、ストック装置はできるだけコンパクトであることが望ましい。
特に、都心部でシールド工事を行う場合のように、十分な工事用地を確保できない場所ではストック装置のコンパクト化は解決しなければならない重要な問題となる。
本発明は前記事情に鑑み案出されたものであって、本発明の目的は、広いセグメント用地を必要としないで、セグメントのストックを可能としたセグメントストック装置を提供することにある。
【０００５】
【課題を解決するための手段】
前記目的を達成するために本発明に係るセグメントストック装置は、水平面内において旋回可能に設けられ、外周部に周方向に間隔をおいてセグメントが載置される回転板と、前記回転板を回動させる駆動手段とを備え、回転板上に載置されたセグメントがセグメント搬送装置の走行するレールの下方に位置するように配置されていることを特徴とする。
また、本発明は、前記回転板が、平面視した場合、ほぼその半分がレールの外側に位置するように配置されていることを特徴とする。
また、本発明は、前記回転板の外周部には、セグメントの円弧方向に対応した長さを有するセグメント載置用のセグメント置台が、その長手方向を回転板の径方向に対して４５度傾斜して固着されていることを特徴とする。
また、本発明は、前記回転板の外周部には、セグメントの円弧方向に対応した長さを有するセグメント載置用のセグメント置台が、その長手方向を回転板の径方向に沿って固着されていることを特徴とする。
【０００６】
【作用】
回転板が回転されることで、レールの下方に、セグメントが順次位置することになり、搬送装置によりセグメントが把持されていく。
セグメントを回転板の外周部に載置することで、セグメントストック装置を小型化できる。
【０００７】
【実施例】
以下、本発明の実施例を添付図面に基づいて詳述する。
図１はセグメントを運搬する運搬装置の概略説明図である。
図１に示すように、運搬装置２はレール４と搬送装置６とからなり、セグメント８を地上１０から立坑１２を通って坑内１４の切羽側に運搬するものである。
レール４は、水平方向に平行に所定の間隔を隔てて２本設けられ、これらレール４が地上１０から立坑１２を通って坑内１４に配置され、搬送装置６が走行する走行路１６が形成される。
【０００８】
搬送装置６は、左右のレール４にそれぞれ配設され、レール４上を往復走行する走行体６Ａと、これら走行体６Ａ間に支持されセグメント８を把持し吊り下げる把持部６Ｃを有する支持体６Ｂ等で構成されている。
支持体６Ｂは、常に鉛直状態に保たれるように揺動自在に走行体６Ａ間に支持され、これにより、走行路１６の延在方向が異なっていても、セグメント８の支持状態を安定させるようになっている。
前記把持部６Ｃは支持体６Ｂに旋回自在に支持され、これによりセグメント８を積み上げやに積み降しが簡単に行えるようになっている。
【０００９】
セグメントストック装置１８は、水平面内において旋回可能に設けられ、外周部に周方向に間隔をおいてセグメント８が載置される回転板２４と、回転板２４を回動させる駆動手段２６等を備える。
回転板２４は、回転板２４上に載置されたセグメント８が搬送装置６の走行するレール４の下方に位置するように配置されている。
本実施例では、回転板２４は図２、図３に示すように、その回転中心０がレール４の外側に位置し、平面視した場合、レール４の外側にその半分が位置するように配置されている。
回転板２４は、半径がセグメント８の長手方向（セグメントの円弧方向）の長さより大きく形成され、実施例では、左右のレール４間の幅と同じような長さで形成されている。
回転板２４の支持は、図１に示すように、回転板２４の下面の外周部に設けられた環状のリング３０が、支持ローラ３２上で支持されることでなされている。
【００１０】
回転板２４の外周部には、セグメント８が載置される凹字状のセグメント置台２２がその周方向に所定の間隔をおいて８つ固着されている。
セグメント置台２２の配置は、図２に示すように、その長手方向が右回転の場合には径方向から回転方向に４５°傾斜するようにしてもよいし、また、図３に示すように、セグメント置台２２の長手方向が径方向に沿うように配置してもよい。
【００１１】
図２、図３に示すように、セグメント置台２２が一対のレール４のほぼ中央に位置する箇所が、搬送装置６がセグメント８を把持する位置、すなわち、セグメント把持位置２８である。
前記駆動装置２６は、各セグメント置台２２がセグメント把持位置２８に位置するように回転板２４を回転させるもので、図１に示すように、歯車３４、駆動ピニオン３６、動力源３７、制御装置３８等で構成されている。
前記歯車３４は回転板２４の下面に設けられ、この歯車３４に駆動ピニオン３６が噛合され、この駆動ピニオン３６と前記動力源３７が連結され、動力源３７としては、例えば、油圧モータや電動モータ等が用いられる。
そして、前記動力源３７には制御装置３８が接続され、制御装置３８により回転板２４が各セグメント把持位置２８に停止するように回転制御される。
【００１２】
次に、作用について説明する。
トラック等により搬入されたセグメント８は、天井クレーンやフォークリフト等によりセグメント把持位置２８の反対側から、回転板２４上の各セグメント置台２２に載置される。
載置後、駆動装置２６により回転板２４が回動して各セグメント把持位置２８に回転板２４が位置決めされる。
そして、セグメント置台２２上のセグメント８が搬送装置６に把持され、吊り下げられる。
搬送装置６は、レール４に沿って走行し、坑内１４の所定箇所（例えば台車２０上）まで移動し、そして、台車２０上にセグメント８を積降ろす。
積降ろし後、次のセグメント８の運搬を行うためレール４に沿って走行し、地上１０に戻り、セグメント把持位置２８に停止する。
この動作が繰り返されて、セグメント８の坑内１４への搬入が連続的に行われる。
【００１３】
本実施例によれば、セグメント置台２２を回転板２４上にその周方向に沿って円周状に配置したので、搬送装置６にセグメント８を効率良く把持させることができることは無論のこと、セグメント８をレール４間の下方に直線上に配置する場合に比べてセグメントストック用地の全長を短くでき、コンパクト化を図ることが可能となる。
例えば、図４に示すように、回転板２４上にセグメント置台２２をその長手方向が径方向に沿うように８つ配置すると、回転板２４の直径が約６ｍでセグメントストック用地の全長が約１０ｍとなり、図５に示すようにレール４間の下方にセグメント置台２２を７つ直線上に配置する場合に比べて、全長を約８ｍ縮小することができる。
【００１４】
また、回転板２４の半分をレール４の外側に位置するように配置したので、この部分をストックヤードの一部としても利用できる。例えば、トラック等によりストックヤードに搬入されたセグメント８へのシール貼りを、回転板２４上にセグメント８を載置してから行うことができる。
さらに、回転板２４へのセグメント置台２２の配置を、図２に示すように、その長手方向が径方向から回転方向に４５°傾斜するようにすることで、天井クレーンだけでなく、フォークリフトでもセグメント８の載置を行なうことが可能となる。
また、セグメント置台２２の配置を、図３に示すように、その長手方向が径方向に沿うようにすることで、セグメント８の配置がすっきりとまとまり、セグメント８へのシール貼りも行い易くなる。
【００１５】
【発明の効果】
以上の説明で明らかなように、本発明に係るセグメントストック装置は、水平面内において旋回可能に設けられ、外周部に周方向に間隔をおいてセグメントが載置される回転板と、前記回転板を回動させる駆動手段とを備え、前記回転板は、回転板上に載置されたセグメントがセグメント搬送装置の走行するレールの下方に位置するように配置されている構成とした。
そのため、広いセグメント用地を必要とせずにセグメントのストックを行え、特に、都心部でシールド工事を行う場合のように、十分な工事用地を確保できない場合に好適である。
【図面の簡単な説明】
【図１】セグメント運搬装置の一例を示す概略説明図である。
【図２】セグメントストック装置の平面図である。
【図３】セグメントストック装置の平面図である。
【図４】セグメントストック装置と立坑との関係を示す平面図である。
【図５】セグメントストック装置を直線状に構成した場合の平面図である。
【符号の説明】
４  レール
６  搬送装置
８  セグメント
１８  セグメントストック装置
２２  セグメント置台
２４  回転板
２６  駆動装置
２８  セグメント把持位置
【図１】
0003625312.tif 000002
【図２】
0003625312.tif 000003
【図３】
0003625312.tif 000004
【図４】
0003625312.tif 000005
【図５】
0003625312.tif 000006